(57)【要約】【課題】所望の画像情報を特定し、制御し、デジタルカメラに接続されたプリント装置に送るデジタルカメラを提供する。【解決手段】  デジタルカメラ（１００）は、画像情報に拡大論理（２５０）を適用することにより、ユーザが好む拡大倍率（６２０）で前記画像情報をもとに生成される画像表現（７１４）を提示する画像再生システムと、ズームインスイッチ（１４６）およびズームアウトスイッチ（１４７）を備えて、前記表現に対するズームイン動作およびズームアウト動作それぞれを実行する拡大操作部（１４５）と、アップスイッチ（１４３ｂ）、ダウンスイッチ（１４３ｄ）、レフトスイッチ（１４３ａ）、およびライトスイッチ（１４３ｃ）を備えて、前記表現に対する上下左右へのパン動作を実行する位置操作部（１４２）と、を備える。【選択図】  図１
2005124211.tif 000002
【特許請求の範囲】
【請求項１】
デジタルカメラであって、
画像情報に拡大論理を適用することにより、ユーザが好む拡大倍率で前記画像情報をもとに生成される画像表現を提示する画像再生システムと、
ズームインスイッチおよびズームアウトスイッチを備えて、前記表現に対するズームイン動作およびズームアウト動作それぞれを実行する拡大操作部と、
アップスイッチ、ダウンスイッチ、レフトスイッチ、およびライトスイッチを備えて、前記表現に対する上下左右へのパン動作を実行する位置操作部と、
を備えることを特徴とするデジタルカメラ。
【請求項２】
該デジタルカメラに通信可能に接続された装置へ、前記拡大操作部および前記位置操作部により変更された前記表現に関連する前記画像情報を転送する動作を実行する転送操作部をさらに備えることを特徴とする、請求項１記載のデジタルカメラ。
【請求項３】
前記拡大論理は、該デジタルカメラの拡大倍率範囲の中央値に近接して離散的な拡大倍率を適用して、前記画像情報をデジタル的に拡大することを特徴とする、請求項１記載のデジタルカメラ。
【請求項４】
連続したズームイン動作およびズームアウト動作はそれぞれ、前記ユーザが連続していると認識するに十分に小さな倍率増分で行われることを特徴とする、請求項１記載のデジタルカメラ。
【請求項５】
前記表現のもとになる前記画像情報の部分を特定する論理をさらに含むことを特徴とする、請求項１記載のデジタルカメラ。
【請求項６】
前記特定する論理は、前記転送操作部に応答し、前記画像情報の特定部分の境界を画定する可視指標を未変更表現上に提示することを特徴とする、請求項５記載のデジタルカメラ。
【請求項７】
画像取得システムと、
該画像取得システムを起動させ、前記画像再生手段がアクティブである間に画像センサへの入射光に応答して画像情報を取得し、索引付けを行うシャッタと、
をさらに備えることを特徴とする、請求項１記載のデジタルカメラ。
【請求項８】
デジタルカメラを使用して画像情報を編集する方法であって、
画像情報を特定すること、
前記画像情報の表現を生成すること、
前記画像情報をデジタル的に拡大して前記画像情報の変更表現を生成するために、前記デジタルカメラの拡大倍率範囲の中央値に近接して離散的な拡大倍率を使用して前記表現を拡大すること、
前記画像情報の変更表現を提示すること、
前記デジタルカメラに連結する拡大操作部に応答して、前記変更表現を制御可能に拡大すること、
好ましい被写体が所望の表現で観察可能なように前記変更表現を制御可能にパンすること、
とを含むことを特徴とする、デジタルカメラを使用して画像情報を編集する方法。
【請求項９】
前記所望の表現に対応する前記画像情報の部分を制御可能に転送することをさらに含むことを特徴とする、請求項８記載のデジタルカメラを使用して画像情報を編集する方法。
【請求項１０】
前記制御可能に拡大することは、拡大が連続しているという印象をユーザに与える前記画像情報の連続した変更表現を提示させることを特徴とする、請求項９記載のデジタルカメラを使用して画像情報を編集する方法。
【発明の詳細な説明】
【技術分野】
【０００１】
本発明は、デジタルカメラ、特にデジタルカメラの画像編集に関係する。
【背景技術】
【０００２】
デジタルカメラの人気は高まりつつあり、多数の消費者に広く提供されるようになっている。デジタルカメラが従来のフィルムカメラと比較して享受する利点の１つは、デジタルカメラが画像を取得する際に、画像情報がカメラに連結するメモリ要素に電子的に記憶されることである。そして、画像情報を使用して、すぐに閲覧可能な取得画像の表現を生成することができる。たとえば、デジタルカメラが画像を取得し、それから取得画像の表現をカメラに連結するディスプレイでユーザにすぐに提示することが一般的である。取得画像の表現を閲覧することができることは一般に「インスタントレビュー」と呼ばれる。取得画像をレビューするつまり見直すことができることにより、ユーザは取得画像が満足のいくものであるか否かを判定することができる。デジタルカメラの操作者が、複数の理由のいずれかにより満足のいかないものであると考える取得画像は、その画像情報の記憶に使用されているメモリ部分への索引（index、インデックス）を除去することによって削除することができる。
【０００３】
多くのデジタルカメラは、複数の動作モードをユーザに提供する。デジタルカメラユーザは、複数の動作モードの中から所望の動作モードを選択する。一般に、デジタルカメラは「設定」、「取得」、および「再生」モードを備える。
【０００４】
設定モードは多くの場合、デジタルカメラに連結するディスプレイにメニュー駆動型グラフィカルユーザインタフェース（つまり、メニュー表示されるタイプのグラフィカルユーザインタフェース）を提示する。メニューの選択肢は、カメラに連結する１つまたは複数の入力機構を介して選択される。メニュー選択肢により、デジタルカメラのユーザは、光学的設定および取得画像品質を含むがこれらに限定されない複数のパラメータのいずれも構成することが可能である。取得モードは画像センサを駆動させ、設定モードの間に入力または確認された情報に従ってデジタルカメラの動作パラメータを構成し、シャッタ押しボタンが画像情報を画像センサからカメラに連結するメモリ素子に制御可能に転送できるようにする。多くのデジタルカメラは、取得モードであるとき、ディスプレイに画像情報の略リアルタイムの表現（画像表現）を映す。再生モードは、ユーザがそれまで取得し、デジタルカメラに連結するメモリ内に記憶されている画像の１つまたは複数の表現を選択的に閲覧できるようにする。カメラのユーザは、画像情報が記憶された順に、各表現を制御可能に閲覧することができる。
【０００５】
一般に、設定、取得、および再生モードは互いに排他的である。すなわち、設定モードに関連する利用可能な機能および動作可能な操作部は、ユーザがデジタルカメラを取得モードおよび再生モードに構成しているときには利用することができない、すなわち動作しない。同様に、取得モードに関連する機能および操作部は、カメラが設定モードまたは再生モードにあるときには利用することができず、動作しない。再生モードに関連する機能および操作部は、カメラが取得モードあるいは設定モードにあるときには利用することができず、動作しない。したがって、前に取得した画像を閲覧しているユーザは、同時にデジタルカメラの照準を合わせて新しい画像を取得することができない。
【０００６】
上記複数のモードのインタフェースを導いた１つの設計考慮事項は、限られたメモリおよび表示資源の共有を望むことである。たとえば、カメラに連結するディスプレイは、カメラが設定モードのときにはグラフィカルユーザインタフェースを提示する。同じディスプレイは多くの場合、カメラが再生モードのときには各取得画像の表現を提示するために使用される。この同じディスプレイは、カメラが取得モードのときには、画像センサにより収集中の画像情報のリアルタイム表現を提示するために使用することもできる。
【０００７】
通常、画像情報の全範囲が、関連するディスプレイに画像表現を生成する際に使用される。デジタルカメラによっては、ユーザが、選択画像の拡大ビュー（拡大画像）となる、操作した画像情報を閲覧できるようにする機能を備えるものもある。こういった実施態様は、デジタルカメラが再生モードのときに１つまたは複数の操作入力に応答する、限られた数の離散的な拡大レベル（つまり離散的な倍率）を提供する。しかし多くの場合、画像情報に取得された被写体の配置および性質により、離散的な拡大ステップ（拡大段階）を使用すること、つまり段階的に拡大することは、画像情報のクロッピング（トリミング）が過剰または不足することが多いことから、所望の拡大操作部を使用してユーザに提供するには不適当である。画像は、所望の被写体のいくらかの部分が画像に提示されない場合にクロッピング過剰（つまり倍率過剰）である。画像は、望ましくない画像情報が画像に残る場合にクロッピング不足（つまり倍率不足）である。
【０００８】
多くのデジタルカメラは、画像情報をカメラから、デジタルカメラに接続され、適切に構成されたプリント装置に画像情報の転送を指示する選択肢も提供する。望ましくない画像に関連する画像情報を制御可能に削除した後、ユーザは、設定モードでアクセス可能なメニュー駆動型インタフェースから「写真転送」選択肢を選択する。イネーブルされる（選択されオンされる）と、写真転送選択肢は、画像情報をプリント装置に転送する。実施態様によっては、画像情報は、取得画像の記憶、編集、および通信のために中間的なドッキングステーションを介してコンピュータに転送される。コンピュータを後に使用して、プリンタに画像のプリントを生成するように指示することができる。デジタルカメラのすべての考えられるユーザが、受け取った画像情報を編集する適切に構成されたソフトウェアツールを有するコンピュータにアクセスできるわけではない。
【発明の開示】
【発明が解決しようとする課題】
【０００９】
したがって、所望の画像情報を特定し、制御し、またはデジタルカメラに接続されたプリント装置に提供する改良された方法が必要である。
【課題を解決するための手段】
【００１０】
一実施形態は、画像の表現を提示する画像再生システムと、ズームインスイッチ（拡大スイッチ）およびズームアウトスイッチ（縮小スイッチ）を備えて表現に対するズームイン動作（拡大動作）およびズームアウト動作（縮小動作）のそれぞれを実行する拡大操作部と、アップスイッチ（上方向スクロールスイッチ）、ダウンスイッチ（下方向スクロールスイッチ）、レフトスイッチ（左方向スクロールスイッチ）、およびライトスイッチ（右方向スクロールスイッチ）を備えて、表現に対する上下左右のパン動作（位置調整動作）をそれぞれ実行する位置操作部と、を備えるデジタルカメラを教示する。
【００１１】
特許請求項に規定される本発明は、添付図面を参照してよりよく理解することができる。図面内の構成要素は必ずしも互いに対して一定比例尺になっておらず、その代わりに本発明の原理を明確に示すことに重点が置かれている。
【発明を実施するための最良の形態】
【００１２】
図１および図２は、デジタルカメラの実施形態を提示している。デジタルカメラは、拡大操作部、位置操作部、および画像転送操作部を含むユーザインタフェースを備える。拡大操作部、位置操作部、および画像転送操作部は、デジタルカメラの画像取得システムと協働可能である。ユーザインタフェースは、表示装置に接続されている場合、カメラの操作者がそれまで取得した画像を所望の拡大レベルに制御可能に拡大し、また、所望の被写体が好ましく画像表現中に配置されるまで拡大された画像を位置を調整（すなわちパン）できるようにする。デジタルカメラのユーザは、取り込まれた画像を拡大し、位置を調整し、かつ制御可能にクロッピング（トリミング、切抜き）することができる。変更された画像は、デジタルカメラで閲覧、マーク付け、および記憶することができる。
【００１３】
デジタルカメラは、適切に構成されたプリンタおよびコンピュータに直接接続することができる。画像転送動作は、変更された画像表現を接続されている装置に転送する。画像転送操作部がイネーブルされている（オンされている）場合、デジタルカメラは、これに応答して、表示装置上の表現に関連する画像情報を転送する、または別法として、選択された変更画像をデジタルカメラから転送する。
【００１４】
本明細書に述べる、画像情報を編集するデジタルカメラおよび方法の実施形態は、ハードウェア、ソフトウェア、ファームウェア、またはこれらの組み合わせで実施することが可能である。実施形態は、ハードウェアと、メモリに記憶され、デジタルカメラに連結する適切な命令実行システムによって実行されるソフトウェアまたはファームウェアとの組み合わせを使用して実施することができる。ハードウェア部分は、限定ではなく例として、当技術分野においてすべて既知の以下の技術のいずれか、または組み合わせを使用して実施することができる。すなわち、論理関数をデータ信号に対して実施する論理ゲートを有する離散論理回路（複数可）、適当な組み合わせ論理ゲートを有する特定用途向け集積回路（ＡＳＩＣ）、プログラマブルゲートアレイ（複数可）（ＰＧＡ）、フィールドプログラマブルゲートアレイ（ＦＰＧＡ）等。ソフトウェア部分は、たとえば、１つまたは複数のメモリ要素に記憶し、適切な汎用または専用プロセッサにより実行することができる。
【００１５】
取得画像を拡大するソフトウェアは、論理関数を実施する実行可能命令の順序付きリスト（順番に並べられたリスト）を含んでよい。取得画像を拡大するソフトウェアは、コンピュータベースのシステム、プロセッサ包含システム、または命令実行システム、装置、または機器から命令を読み込んで、その命令を実行することができる他のシステム等、により接続され使用される、任意のコンピュータ可読媒体に組み込むことができる。図示の実施形態では、ＡＳＩＣが、デジタルカメラ内の内部メモリに記憶されている実行可能命令を処理する。本書の文脈の中では、「コンピュータ可読媒体」は、命令実行システム、装置、または機器により使用される、またはこれらと関連して使用されるプログラムの収容、記憶、通信、伝搬、または搬送を行うことができる任意の手段であることができる。
【００１６】
図１は、デジタルカメラ１００を示すブロック図である。以下述べる実施態様では、デジタルカメラ１００は、デジタルカメラ１００の様々な態様の機能を制御する特定用途向け集積回路（ＡＳＩＣ）１０２を備える。ＡＳＩＣ１０２は、特に取得論理１５０（取得ロジック）、提示論理１５５（提示ロジック）、および画像管理論理１３７（画像管理ロジック）を実行する。取得論理１５０は、モータドライバ１１９、レンズ１２２、および画像センサ１０４に、被写体に応答する入射光を収集して変換するように指示する。提示論理１５５は、ディスプレイコントローラ１２６および画像ディスプレイ１２８を介して描画（rendering）するために、取得画像情報のデジタル表現を変換する。画像管理論理１３７は、画像情報を制御可能に伝達する画像転送論理を備え、取得され内部に記憶された画像の画像索引を維持する。取得論理１５０、提示論理１５５、および画像管理論理１３７は、メモリに記憶され、ＡＳＩＣ１０２により実行されるソフトウェアであることができる。代替の実施形態では、取得論理１５０、提示論理１５５、および画像管理論理１３７はファームウェアで実施してもよく、ファームウェアはＡＳＩＣ１０２に統合することが可能である。単一のＡＳＩＣ１０２を使用して図示されているが、デジタルカメラ１００はさらなるプロセッサ、デジタル信号プロセッサ（ＤＳＰ）、およびＡＳＩＣを備えて、様々な機能および動作を可能にしてもよい。
【００１７】
デジタルカメラ１００は画像センサ１０４を備える。画像センサ１０４は、電荷結合素子（ＣＣＤ）アレイまたは相補形金属酸化膜半導体（ＣＭＯＳ）センサアレイを備えてよい。画像センサ１０４が個々のＣＣＤ素子のアレイ（配列）を備えるか、それともＣＭＯＳセンサのアレイを備えるかに関わらず、アレイ中の各素子は画像センサ１０４のピクセル（ピクチャ要素）を含む。例示的な画像要素またはピクセルを参照番号１０５を使用して示す。画像センサ１０４中のピクセルは通常、二次元アレイに配置される。たとえば、画像アレイは、長さ２２７２ピクセルおよび高さ１７１２ピクセルを含んでよい。
【００１８】
画像センサ１０４は、画像センサ１０４上の入射光をアナログ信号に変換することにより、被写体のアナログ画像データ表現を生成する。アナログ信号は、接続部１０９を介してアナログフロントエンド（ＡＦＥ）プロセッサ１１１に転送される。アナログフロントエンドプロセッサ１１１は通常、画像センサ１０４から受け取ったアナログ信号をデジタル信号に変換するアナログ／デジタル変換器を備え、画像処理のために、接続部１１２を介してこのデジタル信号を画像データとしてＡＳＩＣ１０２に供給する。
【００１９】
ＡＳＩＣ１０２は、接続部１１８を介して１つまたは複数のモータドライバ１１９に接続される。モータドライバ１１９は、接続部１２１を介してレンズ１２２の様々なパラメータの動作を制御する。たとえば、光学ズーム、焦点合わせ、絞り、およびシャッタの動作等のため、レンズ操作部は、モータドライバ１１９を介してＡＳＩＣ１０２により制御される。レンズ１２２と画像センサ１０４の間の接続部１２３は、被写体に焦点を合わせ、撮像光を画像センサ１０４に伝達するレンズ１２２の動作を示すために点線で示されており、画像センサは、レンズ１２２により供給された光学画像を電気信号に変換する。
【００２０】
ＡＳＩＣ１０２はまた、接続部１２４を介してディスプレイデータをディスプレイコントローラ１２６に送る。ディスプレイコントローラは、たとえば、ＮＴＳＣ（national television system committee）／ＰＡＬ（phase-alternate line）エンコーダであってよいが、用途に応じて、ディスプレイデータを提示する他の規格を使用してもよい。ディスプレイコントローラ１２６は、ＡＳＩＣ１０２からのディスプレイデータを、接続部１２７を介して画像ディスプレイ１２８に転送可能な信号に変換する。たとえば、液晶ディスプレイ（ＬＣＤ）または他のディスプレイであることができる画像ディスプレイ１２８は、画像データから生成された表示画像を、デジタルカメラ１００のユーザに視覚的に提示する。デジタルカメラ１００の構成に応じて、ユーザに対してディスプレイ１２８に示される表示画像は、「ライブビュー」モードと呼ばれるもので画像を取得し処理する前に表示してもよく、または、「再生」モードと呼ばれるもので画像を取得し処理した後に示してもよい。「再生」モードは、画像取得後に取得画像を表示するために使用される。
【００２１】
「画像取得」は、現在画像センサ１０４上に画像形成されているシーンを、デジタルカメラのメモリの或る部分にデータとして、少なくとも一時的に記憶すべき画像として指定する作業を指す。このような画像、またはそれを表す画像情報は「取得画像」と呼ばれる。デジタルカメラの取得画像は、感光フィルムの一部を露光させることによりフィルムカメラが定着させる画像に概ね類似する。画像の取得は通常、デジタルカメラ１００の、シャッタ１４９等のボタンを押下することによって開始される。
【００２２】
画像ディスプレイ１２８は、様々なユーザインタフェース情報および操作メニューの表示にも使用される。以下述べるように、再生モード中に、それまでに取得した画像の表現を画像ディスプレイ１２８上で制御可能に閲覧することが可能である。デジタルカメラ１００のユーザは、デジタルカメラ１００に連結するメモリ装置の１つまたは複数にプログラムすることができる任意の数の操作を介して再生モードにすることができる。たとえば、デジタルカメラ１００は、イネーブルされた入力装置（すなわち、操作部、スイッチ、押しボタン等）を介して、デジタルカメラ１００の動作を指示する、適切なユーザ入力を適用するモードセレクタ（図示せず）を構成することができる。
【００２３】
操作者が、再生モードになるようにデジタルカメラ１００に指示すると、適当なユーザ入力によって、所望であれば画像情報全体を含む画像の任意の部分を、デジタルカメラ１００に接続された装置に転送すべきものとして制御可能に特定することができるメニュー選択肢が画像ディスプレイ１２８の一部に表示される。取得画像情報の一部は、取得画像表現を制御可能に拡大し、画像ディスプレイ１２８上の表現がデジタルカメラの操作者にとって許容可能なものになるまで表現をパン（位置調整）することによって特定される。次に操作者は、適当な操作入力を選択して、装置への画像の転送を開始する。その後、デジタルカメラ１００は、接続された装置に転送された取得画像情報のその部分に対するいくつかの指標（境界を示す枠等）とともに取得画像を表示することにより、視覚的なフィードバックを操作者に提供する。
【００２４】
ＡＳＩＣ１０２は、接続部１５４を介してマイクロコントローラ１６１に接続する。マイクロコントローラ１６１は、デジタルカメラ１００の種々の動作態様およびパラメータを制御する専用または汎用のマイクロプロセッサであることができる。たとえば、マイクロコントローラ１６１は、接続部１６２を介してユーザインタフェース１６４に接続される。ユーザインタフェース１６４は、限定ではなく例として、位置操作部１４２、「ＯＫ／選択」ボタン１４４、拡大操作部１４５、転送操作部１４８、およびシャッタ１４９を含んでよい。ユーザインタフェース１６４は、ポインティングデバイス（pointing device画面上の位置を指定する入力装置）、およびデジタルカメラ１００のユーザがコマンドを入力できるようにし、またデジタルカメラ１００の機能を制御できるようにする他のボタンまたはスイッチを含む、１つまたは複数のさらなるボタンまたは機構（図示せず）をさらに含んでよい。ポインティングデバイスおよび他のボタンまたはスイッチは、ユーザ入力をデジタルカメラ１００上の１つまたは複数の操作メニューに与えることができる。
【００２５】
ＡＳＩＣ１０２は、１つまたは複数の異なるメモリ要素にも接続する。特定の種類のメモリを以下に示すが、デジタルカメラ１００は本明細書に特に述べていない他の様々な種類のメモリを使用してもよいことに留意されたい。たとえば、種々のメモリ要素は限定ではなく例として、ランダムアクセスメモリ（ＲＡＭ）、読み取り専用メモリ（ＲＯＭ）、およびフラッシュメモリ等の揮発性メモリおよび／または不揮発性メモリを含んでよい。さらにメモリ要素は、デジタルカメラ１００の内部にあっても、また取り外し可能なメモリ媒体であってもよく、デジタルカメラ１００内の種々の要素に分散したメモリを含んでもよい。
【００２６】
図１に示す実施形態では、ＡＳＩＣ１０２は、接続部１５２を介してシンクロナスダイナミックランダムアクセスメモリ（ＳＤＲＡＭ）１４１に接続する。ＳＤＲＡＭ１４１は、様々なソフトウェア要素およびファームウェア要素、ならびにデジタルカメラ１００が種々の機能を実行できるようにする構成要素（図示せず）を収容する。ＳＤＲＡＭ１４１は、画像ファイル１３５の一次的な記憶も提供する。画像取得、提示、および管理機能がソフトウェアにおいて実施されると、ソフトウェアコード（すなわち、取得論理１５０、提示論理１５５、および画像管理論理１３７）は通常、内部メモリ１３６であるフラッシュメモリに記憶されており、ＡＳＩＣ１０２における効率的なソフトウェア実行を可能にするためにＳＤＲＡＭ１４１に転送される。
【００２７】
ＡＳＩＣ１０２は、接続部１３１を介して、フラッシュメモリ等の外部メモリ１３２にも接続する。外部メモリ１３２は、画像記憶デバイス１３４により取得画像の画像記憶装置を提供する。同様に、内部メモリ１３６もまた取得画像の画像記憶装置（図示せず）を提供してもよい。
【００２８】
図２は、デジタルカメラ１００の内部メモリ１３６内に記憶された論理をさらに示す概略図である。図２に示すように、内部メモリ１３６は、取得論理１５０、提示論理１５５、および画像管理論理１３７を備える。上に述べたように、取得論理１５０は、画像センサ１０４を構成する種々の素子１０５上の入射光のアナログ表現を取得するように、モータドライバ１１９、レンズ１２２、および画像センサ１０４を指示するように構成された実行可能命令文を含む。
【００２９】
提示論理１５５は、拡大論理２５０、以下にパン論理２５５として述べる相対位置移動（ＲＰＭ）、および選択論理２６０を含む。拡大論理２５０は、最小拡大レベルから最大拡大レベルの範囲を有する複数の拡大レンズを通して画像情報を操作する実行可能命令文を含む。一実施形態は、１．５倍（１．５×）拡大〜６．０倍（６．０×）拡大の拡大範囲を実施する。拡大論理２５０は、１つまたは複数のユーザ選択可能な入力に応答してイネーブルする（作動可能にする）ことができる。こういった入力としては、メニュー選択、拡大入力モード押しボタン、またはデジタルカメラ１００に連結する他の操作部を挙げることができる。イネーブルされると、拡大論理２５０は、関心のある取得画像に関連する画像情報の初期的な拡大表現を供給するように構成することができる。初期拡大画像については、図６に示す概略図と関連して以下さらに詳細に述べることにする。
【００３０】
イネーブルされると、拡大論理は、ズームイン操作部（拡大操作部）１４６およびズームアウト操作部（縮小操作部）１４７のユーザ操作に応答して画像情報を調整する。ズームイン操作部を選択すると、画像ディスプレイ１２８上の拡大表現を生成するのに使用される拡大レベルがそれに対応して増大する。ズームアウト操作部１４７を選択すると、画像ディスプレイ１２８上の拡大表現を生成するのに使用される拡大レベルがそれに対応して低減する。デジタルカメラ１００の操作者は、初期拡大を越えてディスプレイ１２８上の画像表現をさらに拡大しないことを選択可能であることに留意する。代替の実施形態では、拡大論理２５０は、図１における１つまたは複数の光学ズーム操作部（図示せず）に応答する。
【００３１】
パン論理２５５は、位置操作部１４２にユーザ入力が加えられることに応答してパン動作を実行する。アップスイッチ（上方向スクロールスイッチ）１４３ｂ（図１）を選択すると、映される画像がディスプレイ１２８上の表現に関連する取得画像情報の上限に向かって上方向へ移動するように、拡大画像表現のスクロールがデジタルカメラ１００に指示される。ダウンスイッチ（下方向スクロールスイッチ）１４３ｄを選択すると、映される画像が取得画像情報の下限に向かって下方向へ移動するように、拡大画像表現のスクロールがデジタルカメラ１００に指示される。レフトスイッチ（左方向スクロールスイッチ）１４３ａを選択すると、映される画像が取得画像情報の左限に向かって左方向へ移動するように、拡大画像表現のスクロールがデジタルカメラ１００に指示される。ライトスイッチ（右方向スクロールスイッチ）１４３ｃを選択すると、映される画像が画像情報の右限に向かって右方向へ移動するように、画像のスクロールがデジタルカメラ１００に指示される。デジタルカメラ１００の操作者は位置操作部１４２を介して拡大画像を変更しないことを選択し、したがって初期拡大レベル（初期拡大倍率）のみを使用して取得画像の表現を変更することもできることに留意する。別法として、デジタルカメラ１００の操作者は、任意の所望の順序でズームイン１４６、ズームアウト１４７、および位置操作部の入力を介して拡大表現を制御可能に操作することができる。
【００３２】
選択論理２６０は、転送操作部１４８を介してユーザ入力が加えられたことに応答して画像情報操作を実行する。転送操作部１４８の選択は、画像ディスプレイ１２８上で観察可能な変更さらた画像の提示に対応する画像情報を特定するように、デジタルカメラ１００に指示する。取得画像情報のその部分が特定されると、選択論理２６０は、取得画像情報の部分を通信可能に接続された装置に転送する。さらに、選択論理２６０は、取得画像情報を画像ディスプレイ１２８に提供し、画像情報に重ねられる、または挿入されるマーク（又は指標）を生成して、接続されている装置へ転送するのに選択された元々の取得画像のその部分の境界を画定する。一実施形態では、選択論理２６０は、バウンディングボックス（境界を示す囲い枠）を使用して転送された画像情報を特定する。代替の実施形態では、破線、コーナーマーク等が転送画像情報の指標としての役割を果たす。
【００３３】
図２にさらに示すように、画像管理論理１３７は、索引論理２３７および転送論理２４７を含む。索引論理２３７は、デジタルカメラ１００によって取得され記憶された各画像のメモリロケーションをログ（記録）し追跡する。索引論理２３７は、再生モードでアクセス可能な種々の操作メニューと接続して、所望のようにそれまで取得した各画像をレビューし制御可能に操作する。転送論理２４７は、デジタルカメラ１００に接続された１つまたは複数の装置への画像情報の連続転送の制御、管理、および確認を行う。転送論理２４７は、転送操作部１４８を介してユーザの入力に応答してイネーブルされる（作動可能にされる）。
【００３４】
図３、図４、図９、および図１０に示すフローチャートにおけるいずれのプロセスの説明またはブロックも、関連するプロセス中の特定の論理関数またはステップを実施する１つまたは複数の実行可能命令を含むモジュール、セグメント、またはコードの部分を表すものとして理解すべきである。代替の実施態様も、添付の特許請求項に記載される本発明の範囲内に包含されるものと意図される。たとえば、当業者に理解されるように、機能は、関わる機能に応じて略同時に、または逆順を含む、図示または考察された順序とは順不同で実行することができる。
【００３５】
図３は、図１のデジタルカメラにより実施することができる、画像情報を提供する方法３００の一実施形態を示すフローチャートである。図３に示すように、方法３００はブロック３０２において開始され、デジタルカメラ１００が取得画像または写真に関連する画像情報を特定する。次に、ブロック３０４に示すように、デジタルカメラ１００はブロック３０２において特定された画像情報の表現を生成する。表現は、画像情報にわたって適用された離散的な拡大ステップ（拡大段階）に応答する。その後、ブロック３０６に示すように、デジタルカメラ１００に連結する１つまたは複数の操作部からの入力に従って、表現は制御可能に拡大され、拡大表現（拡大された表現）が生成される。その後、ブロック３０８に示すように、デジタルカメラ１００に連結する１つまたは複数の操作部からの入力を使用して、拡大表現を制御可能な態様でパンして、変更表現（拡大表現）中の好ましい位置で観察可能なように被写体を配置する。ブロック３１０に示すように、デジタルカメラ１００の操作者が拡大倍率および表現中の被写体の位置に満足した後、デジタルカメラ１００に連結する１つまたは複数の操作部からの入力に従って、表示されている表現に関連する画像情報の部分が転送される。
【００３６】
デジタルカメラ１００の操作者は、画像表現を表示装置１２８に提示し、拡大操作部１４５をイネーブルする前に、初期拡大レベルを適用するように拡大論理を構成することができる。初期拡大レベルは、デジタルカメラの拡大範囲内であればユーザ調整可能である。
【００３７】
デジタルカメラ１００の操作者は、必ずしも、接続されている装置への画像の転送を開始する前に取得画像表現を調整する必要はないことに留意する。さらに、操作者は、任意選択で、転送操作部１４８を選択する前に、任意の順序かつ任意の回数で、画像表現を制御可能にパンし制御可能に拡大して、所望の画像表現を生成してもよい。
【００３８】
上に述べたように、望むときに、画像転送をデジタルカメラ１００と、デジタルカメラ１００に通信可能に接続され、画像情報を受け取り、画像情報に対応する１つまたは複数のプリントを生成するように構成されたプリンタとの間で行うことができる。別法として、画像情報は、デジタルカメラ１００に接続されたコンピュータまたは他の装置に転送してもよい。コンピュータは、デジタル画像の長期格納を提供することができる。コンピュータに適切に構成されたソフトウェアが提供されている場合、コンピュータおよびソフトウェアは、さらなる画像編集機能を有する画像編集プラットフォームを提供する。
【００３９】
代替の実施形態では、デジタルカメラ１００の操作者は、変更された画像情報をすぐに転送しようとしないで、それまでに取得し記憶されていたデジタル画像をレビューし編集する。操作者は、上記の離散的な拡大ステップ、精細拡大操作部、および位置操作部を使用して、クロッピングボックス（又はトリミング枠、切抜き枠）または他の指標を変更された表現上に配置する。クロッピングボックスにより境界画定された、または指標によりマークされた画像情報は、デジタルカメラ１００の操作者が変更され記憶されている画像表現の転送を選択した場合に転送される。
【００４０】
図４は、図１のデジタルカメラ１００の一実施形態の動作を示すフローチャート４００である。ブロック４０２において、図１の画像センサ１０４が画像を取得する。画像は、内部メモリ１３６に記憶することも、または外部メモリ１３２に記憶することもでき、図１のＳＤＲＡＭ１４１中の画像ファイル１３５としても表されている。
【００４１】
判定ブロック４０４において、デジタルカメラ１００が再生モードで動作するように指示された後、取得画像が画像ディスプレイ１２８（図１）を介してデジタルカメラ１００のユーザに表示され、操作者は、取得画像の変更および／または転送を望むか否かが問われる。再生モードは、関連する画像情報の拡大、パン、およびデジタルカメラ１００からの転送等、後続処理タスクを実行する前に、取得画像をレビューする（見直す）機会をユーザに提供する。
【００４２】
フローチャート４００に示すように、判定ブロック４０４から出る「YES」と示されたフロー制御矢印で示すように、操作者が取得画像の変更および／または転送を望む場合、操作者には、画像表現を拡大し、かつ／またはパンする並列能力が提示される。その他の場合、処理は判定ブロック４２２に続き、再生モードを終了するか否かについて判定が行われる。判定ブロック４２２から出る「YES」と示されたフロー制御矢印で示すように、再生モードに留まると判定された場合、デジタルカメラをステップ４０２に示す取得モードに戻すことにより処理を続行する。一実施形態では、デジタルカメラ１００は、操作者が画像ディスプレイ１２８を介して視覚的なフィードバックを使用して画像表現をレビューし、制御可能に変更しているとき、完全に動作可能な状態にある。すなわち、デジタルカメラの画像取得システムは、レンズ１２２を新しい対象の被写体に配置し、シャッタ１４９を介してシャッタ入力を入力することによって起動し、新しい画像を取得することが可能である。
【００４３】
判定ブロック４０６から出る「YES」と示されたフロー制御矢印で示すように、操作者が表示されている表現を変更したものを所望する場合、デジタルカメラ１００は、拡大論理および連結する拡大操作部１４５をブロック４１０に示すようにイネーブルする。その後、デジタルカメラ１００は、ブロック４１１に示すように、ズームイン操作部１４６およびズームアウト操作部１４７からの入力に従って画像表現を拡大する。また、並列判定ブロック４０８から出る「YES」と示されたフロー制御矢印で示すように、操作者が表示されている表現の、異なる相対位置の被写体を所望する場合、デジタルカメラ１００は、ブロック４１２に示すように、パン論理２５５および連結する位置操作部１４２をイネーブルする。その後、デジタルカメラ１００は、ブロック４１３に示すように、位置操作部１４２からの入力に従って画像の位置を調整する。その他の場合、デジタルカメラ１００の操作者が画像表現を拡大したくない場合、ブロック４１４に示すように、デジタルカメラ１００はそのままの拡大されない画像表現を提示する。同様に、デジタルカメラ１００の操作者が画像を位置変更またはパンしなくない場合、ブロック４１４に示すように、デジタルカメラ１００は画像表現を提示する。
【００４４】
次に、判定ブロック４１６に示すように、操作者は提示されている画像表現が所望の画像を反映しているか否かを判定する。ブロック４１６から出る「NO」と示されたフロー制御矢印で示すように、画像が所望の画像になるように変更されていない場合、処理は、所望の画像が実現されるまでブロック４０６〜４１６にわたって続けられる。その他の場合、所望の画像が得られた場合、デジタルカメラ１００は、転送操作部１４８を介して入力されたユーザ入力に応答して、ブロック４１８に示すように、選択された画像情報を転送する。その後、ブロック４２０に示すように、デジタルカメラ１００は、取得画像ならびにブロック４１８において転送された選択画像情報を示す指標（境界枠など）を含む表現を提示することにより、視覚的なフィードバックを操作者に提供する。
【００４５】
判定ブロック４２２から出る「NO」と示されたフロー制御矢印で示すように、再生モード下の処理がさらに望まれる場合、またはブロック４２０に示すように、最近転送された画像についての視覚的なフィードバックが操作者に提示された場合、判定ブロック４２４に示すように、デジタルカメラ１００は、操作者がさらなる画像を同様に変更してデジタルカメラ１００から転送すべきか否かを判定できるようにする。判定ブロック４２４から出る「YES」と示されたフロー制御矢印で示すように、まだ変更して転送する画像がある場合、処理は、処理すべき画像がなくなるまでブロック４０４〜４２４にわたって続けられ、方法４００が終了する。
【００４６】
図５Ａは、デジタルカメラ１００のユーザに提示される拡大メニュー選択肢の一例を示す絵図である。表示表現５００は、画像ディスプレイ１２８を介してユーザに表示されるメニュー部分５０２および画像部分５０４を示す。メニュー部分５０２は「拡大」選択肢５０５を含む。ユーザは、取得された表示画像５０４を閲覧しているとき、たとえば「拡大」選択肢がハイライトされているときにユーザインタフェース１６４（図１）上のＯＫ／選択ボタン１４４を起動することによって、拡大ビューにすることができる。拡大ビューにすることにより、拡大操作部１４５は、取得された表示画像に適用される拡大レベルを変更することができる。図６に示す拡大範囲に関連してさらに述べるように、デジタルカメラ１００は、増大する拡大レベルを表す一連の連続画像が、デジタルカメラ１００の操作者から連続して見えるように予め構成、またはプログラムすることができる。同様に、低減する拡大レベルを表す一連の連続画像も操作者から連続して見える。
【００４７】
図５Ｂは、初期の中間的な拡大ステップ（拡大段階）に拡大された図５Ａの画像の一例を示す絵図である。図５Ｂでは、画像部分５０４は、初期の中間拡大ステップ、たとえば４倍（４×）に拡大され、拡大画像５１４が生成されている。拡大論理２５０により、拡大操作部１４５は４倍（４×）拡大ステップから始まる可変倍率の拡大を提供することができる。初期「４×」拡大レベルを示す画面ショット５１０中の表示は、画像５１４の拡大の変更に応じて拡大レベル（拡大倍率）とともに変化する。さらに位置操作部１４２により、ユーザは、所望の部分をセンタリングする、または画像ディスプレイ１２８に望ましいように配置するように、表示されている画像表現の異なる部分を導くことができる。画像５１４の周囲にある４つの方向矢印は、デジタルカメラ１００のユーザに位置操作部１４２がイネーブルされている（作動可能にされている）ことを示す。
【００４８】
図６は、デジタルカメラ１００の制御可能な拡大６００の拡大範囲６１０の一実施形態を示す図である。図６に示す例では、拡大範囲６１０（倍率範囲）は最小拡大レベル１．５×（１．５倍）〜最大拡大レベル６．０×（６．０倍）に及ぶ。図にさらに示すように、拡大論理６２０は、最小拡大レベルと最大拡大レベルの間から選択される初期の拡大レベル６２０を適用することにより、拡大レベルが拡大範囲６１０に入るようにプログラムすることができる。図６に示す例では、拡大論理２５０は、初期拡大レベル４．０×を適用する。方向矢印６２２で示すように、ズームイン操作部１４６を介して「ズームイン」入力が入力されると、初期拡大レベル６２０から拡大レベルが増大する。逆に、ズームアウト操作部１４７を介して「ズームアウト」入力が入力されると、初期拡大レベル６２０から拡大レベルが低減する。拡大範囲６１０にわたる代表的な拡大レベルのスケールは、拡大範囲が１．５×〜６．０×に及ぶことを示しているが、拡大操作部１４５を介して制御可能に選択される離散拡大レベルの数は、各離散的な拡大レベルに対応する連続画像表現の拡大（倍率）が、拡大範囲６１０にわたって連続して可変であるように見えるほどの数であることに留意する。
【００４９】
図７Ａ〜図７Ｆは、拡大論理２５０の動作の一例を示す絵図である。図７Ａでは、取得画像７０４は再生モードにおいて画像ディスプレイ１２８の画面ショット７００に表示される。図７Ｂでは、ユーザが図５Ａにおける拡大メニューの選択を介して拡大モードを選択し、図７Ａの取得画像７０４が拡大され、図７Ｂの拡大画像７１４になる。表示されている取得画像７０４に適用される拡大倍率は、拡大操作部１４５を介して、初期の中間的な拡大ステップから始まって増大する拡大倍率および縮小する拡大倍率の両方に可変である。図７Ｃ〜図７Ｆは拡大操作部１４５を使用して徐々に増大する拡大倍率を示し、図７Ｃ、図７Ｄ、図７Ｅ、および図７Ｆの拡大画像７２４、７３４、７４４、および７５４それぞれが生じる。拡大倍率は拡大範囲６１０を通して可変である。別法として、操作者は中間拡大ステップから制御可能にズームアウトすることができる。たとえば、ユーザは、初期４×拡大から、たとえば２×拡大に拡大レベルを低減してもよい。
【００５０】
図８Ａおよび図８Ｂは、選択２６０の一例を示す絵図である。図８Ａでは、デジタルカメラ１００のユーザは、４方向位置操作部１４２を使用して、図７Ｆの画像表現７５４を制御可能にパンし、図７Ａの画像７０４の一部８０４が、画面ショット８００に示すように画像ディスプレイ１２８においてセンタリングできる。位置操作部１４２により、デジタルカメラ１００に接続された装置に転送される所望の画像の部分が図８Ａに示すように画像ディスプレイ１２８においてセンタリングされるように、ユーザは表示されている取得画像の異なる部分を導くことができる。
【００５１】
図８Ｂでは、ユーザは、転送操作部１４８または他の操作部を起動させて、図８Ａの画像８０４を転送すべきであることを示している。次に、デジタルカメラ１００は、バウンディングボックス８１２（境界を示す囲い枠）または取得画像の選択エリアの他の或る指標を含む元々の取得画像を表示する。バウンディングボックス８１２は、取得画像の包囲部分８１４が、デジタルカメラ１００に接続されたプリンタ、コンピュータ、または他の装置への転送に選択されたことを示す。デジタルカメラ１００がプリンタに接続されている場合、ユーザが、たとえばユーザインタフェース１６４上の転送操作部１４８を起動したときに、画像がプリンタに転送される。拡大操作部１４５および位置操作部１４２を使用して取得画像の異なる部分を制御可能に選択することにより、元の取得画像のさらなる部分を転送用に選択することができる。
【００５２】
図９は、画像情報を編集する方法の一実施形態を示す流れ図である。方法９００はブロック９０２において開始され、画像情報が特定される。その後、ブロック９０４に示すように、画像情報を使用して表現（画像表現）が生成される。次に、ブロック９０６に示すように、表現が、デジタルカメラの拡大範囲（拡大倍率範囲）の中央点（中央値）に近接して離散的な拡大ステップ（拡大倍率）を使用して拡大され、画像情報をデジタル的に拡大して画像情報の変更表現（拡大変更された表現）を生成する。ブロック９０８に示すように、画像情報の変更表現が提示される。
【００５３】
ブロック９１０に示すように、方法９００は、デジタルカメラに連結する拡大操作部に応答して変更表現を制御可能に拡大できる。方法９００は、ブロック９１２に示すように、好ましい被写体が所望の表現において観察可能なように変更表現を制御可能にパンすることも含む。
【００５４】
図１０は、画像情報を編集する方法の代替の実施形態を示す流れ図である。方法１０００はブロック１００２において開始され、画像情報が取得される。その後、ブロック１００４に示すように、画像情報を処理可能なように画像情報に索引が付与される。ブロック１００６において、画像情報の表現が離散的な拡大ステップに応答して拡大され、離散拡大ステップ（拡大倍率）は、画像情報をデジタル的に拡大する場合のデジタルカメラの拡大倍率範囲の中央値に近接する。離散拡大ステップは、第１の拡大表現を生じさせる。
【００５５】
次に、ブロック１００８に示すように、第１の拡大表現が提示される。ブロック１０１０に示すように、第１の拡大表現は望みに応じてさらに拡大され、操作部入力に応答して第２の拡大表現を生成する。操作部入力に応答してさらに拡大され、第１の拡大表現から第２の拡大表現への遷移が行われる。この遷移は、拡大範囲にわたって知覚的に連続している。さらに、ブロック１０１２に示すように、第２の拡大表現は、所望の場合には、好ましい被写体が所望の表現において観察可能なようにパンされる。
【００５６】
種々の実施形態について説明したが、さらに多くの実施形態および実施態様が可能であることが当業者に明らかであろう。このような変更および変形はすべて、本明細書において本開示の範囲内に包含され、添付の特許請求項により保護されるものと意図される。
【００５７】
本発明は、以下の実施態様を含んでいる。
【００５８】
＜１＞  デジタルカメラ（１００）であって、画像情報に拡大論理（２５０）を適用することにより、ユーザが好む拡大倍率（６２０）で前記画像情報をもとに生成される画像表現（７１４）を提示する画像再生システムと、ズームインスイッチ（１４６）およびズームアウトスイッチ（１４７）を備えて、前記表現に対するズームイン動作およびズームアウト動作それぞれを実行する拡大操作部（１４５）と、アップスイッチ（１４３ｂ）、ダウンスイッチ（１４３ｄ）、レフトスイッチ（１４３ａ）、およびライトスイッチ（１４３ｃ）を備えて、前記表現に対する上下左右へのパン動作を実行する位置操作部（１４２）と、を備えることを特徴とするデジタルカメラ。
【００５９】
＜２＞  該デジタルカメラ（１００）に通信可能に接続された装置へ、前記拡大操作部（１４５）および前記位置操作部（１４２）により変更された前記表現に関連する前記画像情報を転送する動作を実行する転送操作部（１４８）をさらに備えることを特徴とする、上記＜１＞記載のデジタルカメラ。
【００６０】
＜３＞  前記拡大論理（２５０）は、該デジタルカメラの拡大倍率範囲（６１０）の中央値に近接して離散的な拡大倍率（６２０）を適用して、前記画像情報をデジタル的に拡大することを特徴とする、上記＜１＞記載のデジタルカメラ。
【００６１】
＜４＞  連続したズームイン動作およびズームアウト動作はそれぞれ、前記ユーザが連続していると認識するに十分に小さな倍率増分で行われることを特徴とする、上記＜１＞記載のデジタルカメラ。
【００６２】
＜５＞  前記表現のもとになる前記画像情報の部分を特定する論理（２６０）をさらに含むことを特徴とする、上記＜１＞記載のデジタルカメラ。
【００６３】
＜６＞  前記特定する論理（２６０）は、前記転送操作部（１４８）に応答し、前記画像情報の特定部分の境界を画定する可視指標（８１２）を未変更表現上に提示することを特徴とする、上記＜５＞記載のデジタルカメラ。
【００６４】
＜７＞  画像取得システム（１０２、１０４、１１１、１１９、１２２）と、該画像取得システム（１０２、１０４、１１１、１１９、１２２）を起動させ、前記画像再生手段がアクティブである間に画像センサ（１０４）への入射光に応答して画像情報を取得し、索引付けを行うシャッタ（１４９）と、をさらに備えることを特徴とする、上記＜１＞記載のデジタルカメラ。
【００６５】
＜８＞  デジタルカメラ（１００）を使用して画像情報を編集する方法（９００）であって、画像情報を特定すること（９０２）、前記画像情報の表現を生成すること（９０４）、前記画像情報をデジタル的に拡大して前記画像情報の変更表現を生成するために、前記デジタルカメラの拡大倍率範囲の中央値に近接して離散的な拡大倍率を使用して前記表現を拡大すること（９０６）、前記画像情報の変更表現を提示すること（９０８）、前記デジタルカメラに連結する拡大操作部に応答して、前記変更表現を制御可能に拡大すること（９１０）、好ましい被写体が所望の表現で観察可能なように前記変更表現を制御可能にパンすること（９１２）、とを含むことを特徴とする、デジタルカメラを使用して画像情報を編集する方法。
【００６６】
＜９＞  前記所望の表現に対応する前記画像情報の部分を制御可能に転送すること（３１０）をさらに含むことを特徴とする、上記＜８＞記載のデジタルカメラを使用して画像情報を編集する方法。
【００６７】
＜１０＞  前記制御可能に拡大すること（９１０）は、拡大が連続しているという印象をユーザに与える前記画像情報の連続した変更表現を提示させることを特徴とする、上記＜９＞記載のデジタルカメラを使用して画像情報を編集する方法。
【産業上の利用可能性】
【００６８】
本発明は、取得した画像情報を編集する機能を有するデジタルカメラに利用できる。
【図面の簡単な説明】
【００６９】
【図１】デジタルカメラの一実施形態を示すブロック図である。
【図２】図１のデジタルカメラの内部メモリ内に記憶されている論理を示す概略図である。
【図３】図１のデジタルカメラにより実施することができる画像情報を提供する方法の一実施形態を示すフローチャートである。
【図４】図１のデジタルカメラの画像拡大機能、パン機能、および転送機能の動作を示すフローチャートである。
【図５Ａ】図１のカメラのディスプレイに提示されたメニュー駆動グラフィカルユーザインタフェースの一例を示す概略図である。
【図５Ｂ】初期拡大ステップで拡大された図５Ａの画像の一例を示す概略図である。
【図６】図１のデジタルカメラの拡大範囲の一実施形態を示す概略図である。
【図７Ａ】図２の拡大論理の一実施形態の動作の一例を示す絵図である。
【図７Ｂ】図２の拡大論理の一実施形態の動作の一例を示す絵図である。
【図７Ｃ】図２の拡大論理の一実施形態の動作の一例を示す絵図である。
【図７Ｄ】図２の拡大論理の一実施形態の動作の一例を示す絵図である。
【図７Ｅ】図２の拡大論理の一実施形態の動作の一例を示す絵図である。
【図７Ｆ】図２の拡大論理の一実施形態の動作の一例を示す絵図である。
【図８Ａ】図２の転送論理の一実施形態の動作の一例を示す絵図である。
【図８Ｂ】図２の転送論理の一実施形態の動作の一例を示す絵図である。
【図９】画像情報を編集する方法の一実施形態を示す流れ図である。
【図１０】画像情報を編集する方法の代替の実施形態を示す流れ図である。
【符号の説明】
【００７０】
１００  デジタルカメラ
１２２  レンズ
１０４  画像センサ
１４２  位置操作部
１４５  拡大操作部
１４６  ズームインスイッチ
１４７  ズームアウトスイッチ
１４８  転送操作部
１４９  シャッタ
２５０  拡大論理
２６０  特定（選択）する論理
６１０  拡大倍率範囲
６２０  拡大倍率
７１４  画像表現
８１２  指標
【図１】
2005124211.tif 000003
【図２】
2005124211.tif 000004
【図３】
2005124211.tif 000005
【図４】
2005124211.tif 000006
【図６】
2005124211.tif 000007
【図７Ａ】
2005124211.tif 000008
【図７Ｂ】
2005124211.tif 000009
【図７Ｃ】
2005124211.tif 000010
【図７Ｄ】
2005124211.tif 000011
【図７Ｅ】
2005124211.tif 000012
【図７Ｆ】
2005124211.tif 000013
【図８Ａ】
2005124211.tif 000014
【図８Ｂ】
2005124211.tif 000015
【図９】
2005124211.tif 000016
【図１０】
2005124211.tif 000017
【図５Ａ】
2005124211.tif 000018
【図５Ｂ】
2005124211.tif 000019